(57)【特許請求の範囲】
【請求項１】
ネットワークに接続された複数の通信制御装置と、
前記複数の通信制御装置の内の一つである第１通信制御装置に接続された唯一の保守コンソールとを備えており、
前記保守コンソールは、そのユーザー操作部から入力される、前記複数の通信制御装置の内の何れか一つの通信制御装置の局番号データ、当該局番号の通信制御装置が有する共通データベース部に含まれる実データの登録／表示／収集コマンド及び前記複数の通信制御装置の全ての状態を表示させるコマンドである全ノードメッセージを含む通信メッセージを、その通信処理部から、要求メッセージとして前記第１通信制御装置に送出し、
前記第１通信制御装置は、その受信判定処理部に於いて、前記要求メッセージが自通信制御装置宛のメッセージであるか否かを判定し、（１）自通信制御装置宛のメッセージであるときには、前記第１通信制御装置が有する共通データベース部に含まれる実データを収集した上で、収集した共通データに基づいてその通信制御部に於いて当該装置の実働処理を行い、その結果得られた処理結果を前記受信判定処理部より前記第１通信制御装置の応答メッセージとして前記保守コンソールに送出し、（２）自通信制御装置宛のメッセージでないときには、受信した前記要求メッセージを、前記ネットワークを介してその他の全ての通信制御装置へ送出し、
前記その他の全ての通信制御装置の各々は、その受信判定処理部に於いて、前記要求メッセージが自通信制御装置宛のメッセージであるか否かを判定し、（３）自通信制御装置宛のメッセージでないときには、受信した前記要求メッセージを廃棄し、（４）自通信制御装置宛のメッセージであるときには、当該通信制御装置が有する共通データベース部に含まれる実データの収集を行った上で、収集後の共通データに基づいてその通信制御部に於いて当該装置の実働処理を行い、その結果得られた処理結果を前記受信判定処理部より当該通信制御装置の応答メッセージとして前記ネットワークを介して前記第１通信制御装置へ送出し、
前記第１通信制御装置は、（５）前記その他の全ての通信制御装置の内で対応する通信制御装置から送出された前記応答メッセージを受信した上で当該応答メッセージを前記保守コンソールに転送し、
前記保守コンソールは、（６）受信した前記応答メッセージが与える処理結果を、その画面表示部に於いて、前記応答メッセージを送出した通信制御装置の前記局番号データと共に表示することを特徴とすると共に、
前記保守コンソールは、前記複数の通信制御装置の全てにアクセスし終わる迄、前記ユーザー操作部から入力される局番号データ毎に、前記要求メッセージを前記第１通信制御装置に送出し、当該要求メッセージの送出毎に対応して、前記第１通信制御装置は前記（１）及び前記（２）の処理並びに前記（５）の処理を行い、前記その他の全ての通信制御装置の各々は前記（３）及び前記（４）の処理を行い、前記保守コンソールは前記（６）の処理を行うことで、前記保守コンソールは前記複数の通信制御装置の全ての処理結果を前記画面表示部に於いて対応局番号データと共に表示することを特徴とし、
前記保守コンソールは、前記画面表示部に表示された前記複数の通信制御装置の全ての処理結果が同一であるかを比較して一部の処理結果が異なる場合には、前記ユーザー操作部から入力されるデータ修正実施の指令に応じて、（７）処理結果が異なることとなった一つの通信制御装置の局番号データ、当該局番号の通信制御装置が有する共通データベース部に含まれる実データの登録／表示／変更コマンド、及び実データの変更量を指定するデータを含む通信メッセージを、その通信処理部から、修正要求メッセージとして前記第１通信制御装置に送出し、
前記第１通信制御装置は、その受信判定処理部に於いて、前記修正要求メッセージが自通信制御装置宛のメッセージであるか否かを判定し、（８）自通信制御装置宛のメッセージであるときには、前記第１通信制御装置が有する共通データベース部に含まれる実データの登録及び変更を行った上で、変更後の共通データに基づいてその通信制御部に於いて当該装置の実働処理を行い、その結果得られた処理結果を前記受信判定処理部より前記第１通信制御装置の修正応答メッセージとして前記保守コンソールに送出し、（９）自通信制御装置宛のメッセージでないときには、受信した前記修正要求メッセージを、前記ネットワークを介してその他の全ての通信制御装置へ送出し、
前記その他の全ての通信制御装置の各々は、その受信判定処理部に於いて、前記修正要求メッセージが自通信制御装置宛のメッセージであるか否かを判定し、（１０）自通信制御装置宛のメッセージでないときには、受信した前記修正要求メッセージを廃棄し、（１１）自通信制御装置宛のメッセージであるときには、当該通信制御装置が有する共通データベース部に含まれる実データの登録及び変更を行った上で、変更後の共通データに基づいてその通信制御部に於いて当該装置の実働処理を行い、その結果得られた処理結果を前記受信判定処理部より当該通信制御装置の修正応答メッセージとして前記ネットワークを介して前記第１通信制御装置へ送出し、
前記第１通信制御装置は、（１２）前記その他の全ての通信制御装置の内で対応する通信制御装置から送出された前記修正応答メッセージを受信した上で当該修正応答メッセージを前記保守コンソールに転送し、
前記保守コンソールは、（１３）受信した前記修正応答メッセージが与える処理結果を、その画面表示部に於いて、前記修正応答メッセージを送出した通信制御装置の前記局番号データと共に表示することを特徴とすると共に、
前記保守コンソールは、処理結果が異なることとなった通信制御装置の全てにアクセスし終わる迄、処理結果が異なることとなった通信制御装置の局番号データ毎に、前記修正要求メッセージを前記第１通信制御装置に送出し、当該修正要求メッセージの送出毎に対応して、前記第１通信制御装置は前記（８）及び前記（９）の処理並びに前記（１２）の処理を行い、前記その他の全ての通信制御装置の各々は前記（１０）及び前記（１１）の処理を行い、前記保守コンソールは前記（１３）の処理を行うことで、前記保守コンソールは処理結果が異なることとなった通信制御装置の全ての修正後の処理結果を前記画面表示部に於いて対応局番号データと共に表示することを特徴とする、
集中データ制御及び管理システム。
【請求項２】
ネットワークに接続された複数の通信制御装置と、
前記複数の通信制御装置の内の一つである第１通信制御装置に接続された唯一の保守コンソールとを備えており、
前記保守コンソールは、そのユーザー操作部から入力される、前記複数の通信制御装置の内の何れか一つの通信制御装置の局番号データ、全ての通信制御装置に対して順次にメッセージを送ることを指定する全局指定及び当該局番号の通信制御装置が有する共通データベース部又は個別データベース部の一方に含まれる実データの登録／表示／変更コマンドを含む通信メッセージを、その通信処理部から、１信号／１局指定として全ての通信制御装置を指定して順次に要求メッセージとして前記第１通信制御装置に送出し、
前記第１通信制御装置は、その受信判定処理部に於いて、前記要求メッセージが自通信制御装置宛のメッセージであるか否かを判定し、（１）自通信制御装置宛のメッセージであるときには、前記第１通信制御装置が有する共通データベース部又は個別データベース部の一方に含まれる実データの登録及び変更を行った上で、変更後の実データに基づいてその通信制御部に於いて当該装置の実働処理を行い、その結果得られた処理結果を、全ての通信制御装置に前記通信メッセージが順次に送出された後に、前記受信判定処理部より前記第１通信制御装置の応答メッセージとして前記保守コンソールに送出し、（２）自通信制御装置宛のメッセージでないときには、受信した前記要求メッセージを、前記ネットワークを介してその他の全ての通信制御装置へ送出し、
前記その他の全ての通信制御装置の各々は、その受信判定処理部に於いて、前記要求メッセージが自通信制御装置宛のメッセージであるか否かを判定し、（３）自通信制御装置宛のメッセージでないときには、受信した前記要求メッセージを廃棄し、（４）自通信制御装置宛のメッセージであるときには、当該通信制御装置が有する共通データベース部又は個別データベース部の一方に含まれる実データの登録及び変更を行った上で、変更後の実データに基づいてその通信制御部に於いて当該装置の実働処理を行い、その結果得られた処理結果を、全ての通信制御装置に前記通信メッセージが順次に送出された後に、前記受信判定処理部より当該通信制御装置の応答メッセージとして前記ネットワークを介して前記第１通信制御装置へ送出し、
前記第１通信制御装置は前記その他の全ての通信制御装置の内で対応する通信制御装置から送出された前記応答メッセージを受信した上で当該応答メッセージを前記保守コンソールに転送し、
前記保守コンソールは、受信した前記応答メッセージが与える処理結果を、その画面表示部に於いて、前記応答メッセージを送出した通信制御装置の前記局番号データと共に表示することを特徴とし、
前記応答メッセージを送出した通信制御装置の共通データベース部に含まれる実データが変更された場合には、
前記保守コンソールは、そのユーザー操作部から入力される、前記応答メッセージを送出した通信制御装置を除くその他の通信制御装置の内の何れか一つの通信制御装置の局番号データ、当該局番号の通信制御装置が有する共通データベース部に含まれる実データの登録／表示／変更コマンド及び実データの変更量を与えるデータを含む通信メッセージを、その通信処理部から、コピー要求メッセージとして前記第１通信制御装置に送出し、
前記第１通信制御装置は、その受信判定処理部に於いて、前記コピー要求メッセージが自通信制御装置宛のメッセージであるか否かを判定し、（５）自通信制御装置宛のメッセージであるときには、当該メッセージに含まれる前記実データ変更量に基づき前記第１通信制御装置が有する共通データベース部に含まれる実データの登録及び変更を行い、（６）自通信制御装置宛のメッセージでないときには、受信した前記コピー要求メッセージを、前記ネットワークを介してその他の全ての通信制御装置へ送出し、
前記その他の全ての通信制御装置の各々は、その受信判定処理部に於いて、前記コピー要求メッセージが自通信制御装置宛のメッセージであるか否かを判定し、（７）自通信制御装置宛のメッセージでないときには、受信した前記コピー要求メッセージを廃棄し、（８）自通信制御装置宛のメッセージであるときには、当該メッセージに含まれる前記実データ変更量に基づき当該通信制御装置が有する共通データベース部に含まれる実データの登録及び変更を行うことを特徴とする、
集中データ制御及び管理システム。
【発明の詳細な説明】
【技術分野】
【０００１】
本発明は、ネットワークに接続された複数の通信制御装置の集中データ制御及び管理システムに関する。
【背景技術】
【０００２】
従来の、ネットワークに接続された複数の通信制御装置を含むシステムにおいては、各通信制御装置に保守端末を接続し、各々の保守端末が対応する通信制御装置の局データの登録／変更などを制御していた。よって、個々にデータを管理していたため、システム共通のデータの整合性にずれが生じる可能性があった。
【０００３】
【特許文献１】特開２００１−２２９１１０号公報
【発明の開示】
【発明が解決しようとする課題】
【０００４】
従来のシステムでは、各々の通信制御装置に保守端末を接続し、各保守端末がそれに繋がれた通信制御装置のデータを変更するように構成されている。その為、ネットワークに接続され、システム的に共通のデータの場合においても、各々の通信制御装置毎にデータを登録／変更することが必要であり、その為、データの登録ミス、漏れなどがおこるなどの問題点があった。
【０００５】
この発明は、上記の様な問題点を解消するために成されたものであり、一箇所の保守端末からネットワークに接続された通信制御装置にアクセスすると共に、アクセスした通信制御装置の共通データを一括して登録、変更を可能とするシステムを提供することを主目的としている。
【課題を解決するための手段】
【０００６】
この発明の主題は、集中データ制御及び管理システムであって、ネットワークに接続された複数の通信制御装置と、前記複数の通信制御装置の内の一つである第１通信制御装置に接続された唯一の保守コンソールとを備えており、前記保守コンソールは、そのユーザー操作部から入力される、前記複数の通信制御装置の内の何れか一つの通信制御装置の局番号データ、当該局番号の通信制御装置が有する共通データベース部に含まれる実データの登録／表示／収集コマンド及び前記複数の通信制御装置の全ての状態を表示させるコマンドである全ノードメッセージを含む通信メッセージを、その通信処理部から、要求メッセージとして前記第１通信制御装置に送出し、前記第１通信制御装置は、その受信判定処理部に於いて、前記要求メッセージが自通信制御装置宛のメッセージであるか否かを判定し、（１）自通信制御装置宛のメッセージであるときには、前記第１通信制御装置が有する共通データベース部に含まれる実データを収集した上で、収集した共通データに基づいてその通信制御部に於いて当該装置の実働処理を行い、その結果得られた処理結果を前記受信判定処理部より前記第１通信制御装置の応答メッセージとして前記保守コンソールに送出し、（２）自通信制御装置宛のメッセージでないときには、受信した前記要求メッセージを、前記ネットワークを介してその他の全ての通信制御装置へ送出し、前記その他の全ての通信制御装置の各々は、その受信判定処理部に於いて、前記要求メッセージが自通信制御装置宛のメッセージであるか否かを判定し、（３）自通信制御装置宛のメッセージでないときには、受信した前記要求メッセージを廃棄し、（４）自通信制御装置宛のメッセージであるときには、当該通信制御装置が有する共通データベース部に含まれる実データの収集を行った上で、収集後の共通データに基づいてその通信制御部に於いて当該装置の実働処理を行い、その結果得られた処理結果を前記受信判定処理部より当該通信制御装置の応答メッセージとして前記ネットワークを介して前記第１通信制御装置へ送出し、前記第１通信制御装置は、（５）前記その他の全ての通信制御装置の内で対応する通信制御装置から送出された前記応答メッセージを受信した上で当該応答メッセージを前記保守コンソールに転送し、前記保守コンソールは、（６）受信した前記応答メッセージが与える処理結果を、その画面表示部に於いて、前記応答メッセージを送出した通信制御装置の前記局番号データと共に表示することを特徴とすると共に、前記保守コンソールは、前記複数の通信制御装置の全てにアクセスし終わる迄、前記ユーザー操作部から入力される局番号データ毎に、前記要求メッセージを前記第１通信制御装置に送出し、当該要求メッセージの送出毎に対応して、前記第１通信制御装置は前記（１）及び前記（２）の処理並びに前記（５）の処理を行い、前記その他の全ての通信制御装置の各々は前記（３）及び前記（４）の処理を行い、前記保守コンソールは前記（６）の処理を行うことで、前記保守コンソールは前記複数の通信制御装置の全ての処理結果を前記画面表示部に於いて対応局番号データと共に表示することを特徴とし、前記保守コンソールは、前記画面表示部に表示された前記複数の通信制御装置の全ての処理結果が同一であるかを比較して一部の処理結果が異なる場合には、前記ユーザー操作部から入力されるデータ修正実施の指令に応じて、（７）処理結果が異なることとなった一つの通信制御装置の局番号データ、当該局番号の通信制御装置が有する共通データベース部に含まれる実データの登録／表示／変更コマンド、及び実データの変更量を指定するデータを含む通信メッセージを、その通信処理部から、修正要求メッセージとして前記第１通信制御装置に送出し、前記第１通信制御装置は、その受信判定処理部に於いて、前記修正要求メッセージが自通信制御装置宛のメッセージであるか否かを判定し、（８）自通信制御装置宛のメッセージであるときには、前記第１通信制御装置が有する共通データベース部に含まれる実データの登録及び変更を行った上で、変更後の共通データに基づいてその通信制御部に於いて当該装置の実働処理を行い、その結果得られた処理結果を前記受信判定処理部より前記第１通信制御装置の修正応答メッセージとして前記保守コンソールに送出し、（９）自通信制御装置宛のメッセージでないときには、受信した前記修正要求メッセージを、前記ネットワークを介してその他の全ての通信制御装置へ送出し、前記その他の全ての通信制御装置の各々は、その受信判定処理部に於いて、前記修正要求メッセージが自通信制御装置宛のメッセージであるか否かを判定し、（１０）自通信制御装置宛のメッセージでないときには、受信した前記修正要求メッセージを廃棄し、（１１）自通信制御装置宛のメッセージであるときには、当該通信制御装置が有する共通データベース部に含まれる実データの登録及び変更を行った上で、変更後の共通データに基づいてその通信制御部に於いて当該装置の実働処理を行い、その結果得られた処理結果を前記受信判定処理部より当該通信制御装置の修正応答メッセージとして前記ネットワークを介して前記第１通信制御装置へ送出し、前記第１通信制御装置は、（１２）前記その他の全ての通信制御装置の内で対応する通信制御装置から送出された前記修正応答メッセージを受信した上で当該修正応答メッセージを前記保守コンソールに転送し、前記保守コンソールは、（１３）受信した前記修正応答メッセージが与える処理結果を、その画面表示部に於いて、前記修正応答メッセージを送出した通信制御装置の前記局番号データと共に表示することを特徴とすると共に、前記保守コンソールは、処理結果が異なることとなった通信制御装置の全てにアクセスし終わる迄、処理結果が異なることとなった通信制御装置の局番号データ毎に、前記修正要求メッセージを前記第１通信制御装置に送出し、当該修正要求メッセージの送出毎に対応して、前記第１通信制御装置は前記（８）及び前記（９）の処理並びに前記（１２）の処理を行い、前記その他の全ての通信制御装置の各々は前記（１０）及び前記（１１）の処理を行い、前記保守コンソールは前記（１３）の処理を行うことで、前記保守コンソールは処理結果が異なることとなった通信制御装置の全ての修正後の処理結果を前記画面表示部に於いて対応局番号データと共に表示することを特徴とする。
【０００７】
以下、この発明の主題の様々な具体化を、添付図面を基に、その効果・利点と共に、詳述する。
【発明の効果】
【０００８】
本発明の主題によれば、システムに接続された複数の通信制御装置の共通データ／個別データの登録、変更、確認を、１台の保守コンソール（保守端末）に於いて行うことが出来、保守作業者が各々の拠点に行って保守作業を行う必要性が無くなり、データの設定時間の短縮及び信頼性の高いデータ設定が得られる効果がある。それにより、保守作業の集中化（保守作業全体の効率化）や費用削減を図ることが出来る。しかも、各不整合がある通信制御装置の共通データを一台の保守コンソールに於いて集中管理・制御しながら逐次修正していくことにより、システム内の共通データのずれをなくすことが出来、共通データの整合性確立を実現・保持して、本システムの安定稼動を図ることが出来る。
【発明を実施するための最良の形態】
【０００９】
図１は、本発明に係るシステム全体の概略構成を示すブロック図である。同図に示す通り、本システムは、大要、ネットワーク１４に接続された複数の通信制御装置（例えば交換機）１２と、複数の通信制御装置１２の内の一つである第１通信制御装置１１に接続された本システムで唯一の保守コンソール（例えばＰＣから成る保守端末）１３とを備えている。
【００１０】
又、図２は、本システムに於ける保守コンソール１３の内部構成を機能部として示すブロック図である。
【００１１】
又、図３は、本システムに於ける各通信制御装置１１，１２の内部構成を機能部として示すブロック図である。
【００１２】
これらの図１〜図３は、以下に記載する各実施の形態１〜３に共通して用いられる図面である。
【００１３】
（実施の形態１）
本実施の形態の特徴点は、１つの通信制御装置（以下、第１通信制御装置と言う。）１１にシリアルインターフェース１５で接続された保守コンソール１３から、ネットワーク１４で接続されている全ての通信制御装置１２の内で、保守コンソール１３に於いて局番号を設定して指定された通信制御装置に対して通信メッセージを送出し、指定された通信制御装置１２は、上記通信メッセージに含まれる実データの登録／表示／変更のコマンドを受け付けて、当該被指定通信制御装置１２が有するデータベース内のデータの登録／変更などを行う点にある。この様に、全ての通信制御装置１２に対して、被指定通信制御装置１２内のデータの登録／変更などの処理を、唯一の保守コンソール１３に於いて集中制御を行う。以下、図面に基づき、本実施の形態の特徴点を記載する。
【００１４】
図４は、本実施の形態に係るシステムの動作を示すフローチャートである。
【００１５】
保守コンソール１３のユーザー操作部２１より入力された、局番号データ及び当該局番号の通信制御装置内のデータベース部が有する実データの登録／表示／変更コマンドを、通信メッセージとして、ユーザーＩ／Ｆ処理部２２に於いて、データリンクの確立を行う。その上で、通信制御装置１１，１２の状態を管理する通信処理部２３は、ユーザーＩ／Ｆ処理部２２より受信した通信メッセージを、シリアルポート制御部２５に転送する。シリアルポート制御部２５は、通信メッセージをシリアルインタフェースの形式に変換し、当該通信メッセージを要求メッセージとして第１通信制御装置１１に送出する（ステップ４０１，４０２）。即ち、保守コンソール１３は、そのユーザー操作部２１から操作者によって入力される、複数の通信制御装置１１，１２の内の何れか一つの通信制御装置の局番号データ及び当該局番号の通信制御装置が有する共通データベース部３３又は個別データベース部３５の一方に含まれる実データの登録／表示／変更コマンドを含む「通信メッセージ」を、その通信処理部２３から、「要求メッセージ」として第１通信制御装置１１に送出する機能を呈する。
【００１６】
保守コンソール１３が接続された第１通信制御装置１１は、そのシリアルポート制御部３６で要求メッセージを受信し、その受信判定処理部３２に於いて、受信した要求メッセージがどの通信制御装置宛てのメッセージであるかを判断する。もし、自通信制御装置宛ての要求メッセージであれば、受信判定処理部３２は、要求メッセージに含まれる実データのコマンドに応じて、共通データベース部３３又は個別データベース部３５の一方の実データを登録／変更し、その後、通信制御部３４は変更後の実データを反映した制御処理を実施する。即ち、通信制御部３４は、変更後の実データに基づいて、第１通信制御装置１１の実働処理を制御し、その実働により得られた処理結果を受信判定処理部３２に送信する。これを受けて、第１通信制御装置１１のシリアルポート制御部３６は、受信判定処理部３２より受信した上記の処理結果を、第１通信制御装置１１の「応答メッセージ」として、保守コンソール１３に送出する（ステップ４０３〜４０６）。
【００１７】
保守コンソール１３は、そのシリアルポート制御部２５で、第１通信制御装置１１が送出した上記の応答メッセージを受信し、当該応答メッセージが与える処理結果を、画面表示部２４に於いて、第１通信制御装置１１の局番号データと共に表示する（ステップ４０７）。
【００１８】
これに対して、受信した要求メッセージが自通信制御装置宛てでなければ、第１通信制御装置１１は、そのＬＡＮ制御部３１に於いて、ネットワークＬＡＮポートへ独自のフォーマットに変換し、ネットワーク１４を介して、全ての他通信制御装置１２に上記の要求メッセージを送出する（ステップ４０８）。
【００１９】
ネットワーク１４に接続された各他通信制御装置１２は、そのＬＡＮ制御部３１で受信した要求メッセージが自通信制御装置宛てかを受信判定処理部３２に於いて判定し（ステップ４０９）、自通信制御装置宛てでなければ、受信した要求メッセージを廃棄する（ステップ４１５）。
【００２０】
他方、他通信制御装置１２の内の一つがその受信判定処理部３２に於いて自通信制御装置宛てのコマンドと判定した場合には（ステップ４０９）、当該被指定通信制御装置１２の受信判定処理部３２は、その共通データベース部３３又は個別データベース部３５の一方の実データを登録及び変更し（ステップ４１０）、その上で通信制御部３４は、変更後の実データを反映した制御処理を、即ち、変更後の実データに基づく当該通信制御装置１２の実働処理を実施し（ステップ４１１）、その結果得られた処理結果を受信判定処理部３２に送信する。同部３２は処理結果をＬＡＮ制御部３１に送信し、ＬＡＮ制御部３１は、当該処理結果を、第１通信制御装置１１に対して、当該被指定通信制御装置１２の応答メッセージとして送出する（ステップ４１２）。
【００２１】
その後、第１通信制御装置１１は、そのシリアルポート制御部３６で上記の応答メッセージを受信し、保守コンソール１３に当該応答メッセージを転送する（ステップ４１３）。
【００２２】
保守コンソール１３は、そのシリアルポート制御部２５で転送されて来た上記の応答メッセージを受信し、当該応答メッセージが与える処理結果を、上記被指定通信制御装置１２の局番号データと共に、画面表示部２４上に表示する（ステップ４１４）。
【００２３】
＜本実施の形態の利点＞
以上の通り、本実施の形態によれば、一箇所の保守コンソール１３から複数の通信制御装置１２，１１にアクセスし、保守コンソール１３は、局番号を指定した通信制御装置に於ける局データの登録／変更等の処理を集中的に制御する機能を呈する。この様な集中データ制御及び管理を行うことによって、各々の拠点に保守作業者が行って保守作業を行う必要性が無くなり、保守作業の集中化及び費用の削減化を図ることが可能となる。
【００２４】
（実施の形態２）
図５は、本実施の形態に係るシステムの動作の特徴点を模式的に示したブロック図である。同図に例示する通り、本実施の形態では、一箇所の保守コンソール１３から通信制御装置全局の共通データに基づいた処理結果を収集・確認し、不整合がある通信制御装置の局番号データ及びその不整合な（相違する）データを保守コンソール１３の画面表示部２４に表示することとしている。更に、本実施の形態では、相違したデータの修正を実施することで、本システムに於ける共通データのずれを無くする、つまり、共通データの整合性を確立することが出来る機能も付加されている。
【００２５】
ここで、図６及び図７は、本実施の形態に係るシステムの動作ないしは機能を示すフローチャートである。
【００２６】
保守コンソール１３は、そのユーザー操作部２１より入力された局番号データ及び実データの登録／表示／変更コマンド並びに全ノードメッセージのコマンドを、ユーザーＩ／Ｆ処理部２２に於いて、通信メッセージとして、データリンクの確立を行う（ステップ４０１）。その上で、保守コンソール１３は、通信制御装置１１，１２の状態を管理する通信処理部２３に於いて、ユーザーＩ／Ｆ処理部２２より受信した通信メッセージを、シリアルポート制御部２５に転送する。シリアルポート制御部２５は、通信メッセージをシリアルインタフェースに変換した上で、第１通信制御装置１１に要求メッセージとして送出する（ステップ４０２）。即ち、保守コンソール１３は、そのユーザー操作部２１から操作者によって入力される、複数の通信制御装置１１，１２の内の何れか一つの通信制御装置の局番号データ、当該局番号の通信制御装置が有する共通データベース部に含まれる実データの登録／表示／収集コマンド及び複数の通信制御装置１１，１２の全ての状態を表示させるコマンドである全ノードメッセージを含む通信メッセージを、その通信処理部２３から、要求メッセージとして第１通信制御装置１１に送出する。
【００２７】
保守コンソール１３が接続された第１通信制御装置１１は、そのシリアルポート制御部３６で要求メッセージを受信し、その受信判定処理部３２に於いて、上記要求メッセージが自通信制御装置宛のメッセージであるか否かを判定する（ステップ４２２）。（１）若し自通信制御装置宛のメッセージであるときには、第１通信制御装置１１は、第１通信制御装置１１が有する共通データベース部３３に含まれる実データを収集した上で、収集した共通データに基づいて（その共通データを反映させて）、その通信制御部３４に於いて当該装置１１の実働処理を行い（ステップ４１５）、その結果得られた処理結果を、受信判定処理部３２及びシリアルポート制御部３６より、第１通信制御装置１１の応答メッセージとして保守コンソール１３に送出する（ステップ４２４）。その結果、保守コンソール１３は、そのシリアルポート制御部２５で第１通信制御装置１１の応答メッセージを受信し、当該応答メッセージが与える共通データに基づく処理結果を、第１通信制御装置１１の局番号データと共に、画面表示部２４上に表示する（ステップ４１４）。
【００２８】
他方、（２）受信した要求メッセージが自通信制御装置宛のメッセージでないときには（ステップ４２２）、第１通信制御装置１１は、受信した上記要求メッセージを、そのＬＡＮ制御部３１に於いてネットワークＬＡＮポートへ独自のフォーマットに変換した上で、ネットワーク１４を介して、その他の全ての通信制御装置１２へ送出する（ステップ４０８）。
【００２９】
ネットワーク１４に接続された他通信制御装置１２の各々は、その受信判定処理部３２に於いて、ＬＡＮ制御部３１で受信した上記要求メッセージが自通信制御装置宛のメッセージであるか否かを判定し、（３）自通信制御装置宛のメッセージでないときには、受信した上記要求メッセージを廃棄し、（４）自通信制御装置宛のメッセージであるときには、当該通信制御装置１２が有する共通データベース部３３に含まれる実データの収集を行った上で（ステップ４２３）、収集後の共通データに基づいてその通信制御部３４に於いて当該装置１２の実働処理を行い（ステップ４１１）、その結果得られた処理結果を受信判定処理部３２及びＬＡＮ制御部３１より当該被指定通信制御装置１２の応答メッセージとしてネットワーク１４を介して第１通信制御装置１１へ送出する（ステップ４１２）。
【００３０】
その後、第１通信制御装置１１は、（５）その他の全ての通信制御装置の内で対応する被指定通信制御装置１２から送出されて来た上記応答メッセージをシリアルポート制御部３６で受信した上で、当該応答メッセージを保守コンソール１３に転送し（ステップ４１３）、保守コンソール１３は、（６）シリアルポート制御部２５で受信した応答メッセージが与える処理結果を、その画面表示部２４に於いて、応答メッセージを送出した通信制御装置１２の局番号データと共に表示する（ステップ４１４）。
【００３１】
次に、保守コンソール１３は、全ての通信制御装置１１，１２の共通データを反映した処理結果を応答メッセージとして受信してその画面表示部２４に表示したか否かを判断する（ステップ４２５）。この判断に於いてＮＯの場合には、ステップ４０１へ戻って、既述した一連の動作が続行され、そして、全ての通信制御装置１１，１２の共通データを反映した処理結果が保守コンソール１３に収集されてその画面表示部２４に表示されるまで、一連の動作が続行される。
【００３２】
一方、全ての通信制御装置１１，１２の共通データを反映した処理結果が画面表示部２４に表示されたと判断された場合には（ステップ４２５）、更に、保守コンソール１３は、画面表示部２４に表示された複数の通信制御装置１１，１２の全ての処理結果が同一であるか否かを比較する（ステップ４２６）。ここで、全局のデータが全て同じ（一致）している場合には、保守コンソール１３は処理を完了させる（ステップ４２７）。
【００３３】
これに対して、一部の処理結果が異なる場合には（ステップ４２６）、ステップ４２８へ移行する。ここで、保守コンソール１３の操作者は、異なるデータの修正を実施するか否かを判断し、異なるデータの修正を実施しないと決定したときには、保守コンソール１３は処理を完了させる（ステップ４２７）。他方、操作者が異なるデータの修正を実施すると決定した場合には、データ修正実施の指令を入力する。保守コンソール１３は、そのユーザー操作部２１から入力されるデータ修正実施の指令に応じて、（７）処理結果が異なることとなった一つの通信制御装置の局番号データ、当該局番号の通信制御装置が有する共通データベース部に含まれる実データの登録／表示／変更コマンド、及び実データの変更量を指定するデータを含む通信メッセージを、その通信処理部２３から、シリアルポート制御部２５を介して、修正要求メッセージとして第１通信制御装置１１に送出する（ステップ４２８）。
【００３４】
第１通信制御装置１１は、そのシリアルポート制御部３６で修正要求メッセージを受信した後、その受信判定処理部３２に於いて、上記修正要求メッセージが自通信制御装置宛のメッセージであるか否かを判定し（ステップ４２９）、（８）自通信制御装置宛のメッセージであるときには、第１通信制御装置１１が有する共通データベース部３３に含まれる実データの登録及び変更（書き換え）を行った上で、書き換え後の共通データに基づいてその通信制御部３４に於いて当該装置１１の実働処理を行い、その結果得られた処理結果を受信判定処理部３２よりシリアルポート制御部３６を介して第１通信制御装置１１の修正応答メッセージとして保守コンソール１３に送出する（ステップ４３０）。その結果、保守コンソール１３は、第１通信制御装置１１の修正応答メッセージが与える修正後の処理結果を、第１通信制御装置１１の局番号データと共に、その画面表示部２４に表示する（ステップ４１４）。これにより、不整合であった第１通信制御装置１１の処理結果のデータを、整合しているその他の通信制御装置の処理結果のデータと同一値にすることが出来る。
【００３５】
他方、（９）受信した修正要求メッセージが自通信制御装置宛のメッセージでないときには、第１通信制御装置１１は、受信した修正要求メッセージを、そのＬＡＮ制御部３１からネットワーク１４を介して、その他の全ての通信制御装置１２へ送出する（ステップ４０８）。
【００３６】
その他の全ての通信制御装置１２の各々は、その受信判定処理部３２に於いて、ＬＡＮ制御部３１で受信した修正要求メッセージが自通信制御装置宛のメッセージであるか否かを判定し、（１０）自通信制御装置宛のメッセージでないときには、受信した修正要求メッセージを廃棄する。これに対して、（１１）受信した修正要求メッセージが自通信制御装置宛のメッセージであるときには、当該通信制御装置１２は、その共通データベース部３３に含まれる実データの登録及び変更（書き換え）を行った上で（ステップ４２２）、書き換え後の共通データに基づいてその通信制御部３４に於いて当該装置１２の実働処理を行い（ステップ４１１）、その結果得られた処理結果を、受信判定処理部３２及びＬＡＮ制御部３１より、当該通信制御装置１２の修正応答メッセージとして、ネットワーク１４を介して、第１通信制御装置１１へ送出する（ステップ４１２）。
【００３７】
その結果、第１通信制御装置１１は、（１２）その他の全ての通信制御装置の内で対応する通信制御装置１２から送出されて来た修正応答メッセージを受信した上で、当該修正応答メッセージを保守コンソール１３に転送する（ステップ４１３）。
【００３８】
そして、保守コンソール１３は、（１３）受信した修正応答メッセージが与える処理結果を、その画面表示部２４に於いて、修正応答メッセージを送出した通信制御装置１２の前記局番号データと共に表示する（ステップ４１４）。これにより、不整合であった当該通信制御装置１２の処理結果のデータを、整合しているその他の通信制御装置の処理結果のデータと同一値にすることが出来る。
【００３９】
その後、保守コンソール１３の操作者は不整合な通信制御装置が更にあるか否かを画面表示部２４の表示結果より判断し（ステップ４３１）、不整合な通信制御装置が無いときには保守コンソール１３は処理を完了する一方（ステップ４２７）、不整合な通信制御装置がある場合には、更にその不整合な通信制御装置の共通データを修正するか否かを判断し（ステップ４２８）、修正する場合には、保守コンソール１３は、ステップ４２９へ移行する。
【００４０】
その結果、保守コンソール１３は、処理結果が異なることとなった不整合な通信制御装置の全てにアクセスし終わる迄、処理結果が異なることとなった通信制御装置の局番号データ毎に、修正要求メッセージを第１通信制御装置１１に送出し、当該修正要求メッセージの送出毎に対応して、第１通信制御装置１１は上記（８）及び上記（９）の処理並びに上記（１２）の処理を行い、その他の全ての通信制御装置１２の各々は上記（１０）及び上記（１１）の処理を行い、保守コンソール１３は上記（１３）の処理を行うことで、保守コンソール１３は処理結果が異なることとなった不整合な通信制御装置の全ての修正後の処理結果を、その画面表示部２４に於いて、対応局番号データと共に表示することとなる。これにより、画面表示部２４に於いて不整合であると判断された通信制御装置の全ての処理結果のデータ（従って、その各々の共通データベース部３３内の共通データ）を、整合している全ての通信制御装置の処理結果データ（従って、その各々の共通データベース部３３内の共通データ）に合致させることが可能となり、本システムに於ける共通データないしは処理結果のずれがなくなることになる。
【００４１】
＜本実施の形態の利点＞
以上より明らかな通り、本実施の形態によれば、一台の保守コンソール１３の画面表示部２４に於いて、本システム内の不整合がある通信制御装置及びそのデータを表示して、保守コンソール１３の操作者にその不整合な状況の情報を視覚的に理解・把握させることが出来、データの集中管理を可能にする。
【００４２】
しかも、各不整合がある通信制御装置の共通データを一台の保守コンソール１３に於いて集中管理・制御しながら逐次修正していくことにより、システム内の共通データのずれをなくすことが出来、共通データの整合性確立を実現・保持して、本システムの安定稼動を図ることが出来る。
【００４３】
（実施の形態３）
図８は、本実施の形態に係るシステムの動作の特徴点を模式的に示したブロック図である。同図に例示する通り、本実施の形態では、一箇所の保守コンソール１３から通信制御装置全局に対して一斉に局データのダウンロードを可能にする。
【００４４】
ここで、図９は、本実施の形態に係るシステムの動作ないしは機能を示すフローチャートである。以下、図９を基に、本システムの動作を記載する。
【００４５】
保守コンソール１３のユーザー操作部２１より入力された全局指定及び全局共通のデータの登録／表示／変更コマンドを、ユーザーＩ／Ｆ処理部２２は、通信メッセージとして、データリンク確立する（ステップ４０１）。その上で、通信制御装置１１，１２の状態を管理する通信処理部２３は、ユーザーＩ／Ｆ処理部２２より受信した通信メッセージを、データに登録された局全てを指定（１信号／１局指定）して順次にシリアルポート制御部２５に転送する。シリアルポート制御部２５は、通信メッセージを、シリアルインタフェースに変換した上で、第１通信制御装置１に要求メッセージとして送出する。（ステップ４０２）。即ち、保守コンソール１３は、そのユーザー操作部２１から入力される、複数の通信制御装置１１，１２の内の何れか一つの通信制御装置の局番号データ、全ての通信制御装置１１，１２に対して順次にメッセージを送ることを指定する全局指定及び当該局番号の通信制御装置が有する共通データベース部３３又は個別データベース部３５の一方に含まれる実データの登録／表示／変更コマンドを含む通信メッセージを、その通信処理部２３から、１信号／１局指定として、全ての通信制御装置１１，１２を指定して、順次に要求メッセージとして第１通信制御装置１１に送出する。
【００４６】
第１通信制御装置１１は、その受信判定処理部３２に於いて、シリアルポート制御部３６で受信した要求メッセージが自通信制御装置宛のメッセージであるか否かを判定する（ステップ４０３）。（１）受信した要求メッセージが自通信制御装置宛のメッセージであるときには、第１通信制御装置１１は、第１通信制御装置が有する共通データベース部３３又は個別データベース部３５の一方に含まれる実データの登録及び変更を行った上で（ステップ４０４）、変更後の実データに基づいてその通信制御部３４に於いて当該装置１１の実働処理を行い（ステップ４０５）、その結果得られた処理結果を、全ての通信制御装置１２に上記通信メッセージが順次に送出された後に、その受信判定処理部３２及びシリアルポート制御部３６より第１通信制御装置１１の応答メッセージとして保守コンソール１３に送出（リターン）する（ステップ４０６）。その後、保守コンソール１３は、第１通信制御装置１１の応答メッセージが与える処理結果を、その画面表示部２４に局番号データと共に表示する。これに対して、（２）受信した要求メッセージが自通信制御装置宛のメッセージでないときには、第１通信制御装置１１は、順次に受信した要求メッセージを、ＬＡＮ制御部３１（ネットワークＬＡＮポートへ独自のフォーマットに変換する。）から、ネットワーク１４を介して、その他の全ての通信制御装置へ送出する（ステップ４０８）。
【００４７】
その他の全ての通信制御装置１２の各々は、その受信判定処理部３２に於いて、ＬＡＮ制御部３１で順次に受信した要求メッセージが自通信制御装置宛のメッセージであるか否かを判定し（ステップ４０９）、（３）受信した要求メッセージが自通信制御装置宛のメッセージでないときには、受信した当該要求メッセージを廃棄する（ステップ４１５）。これに対して、（４）受信した要求メッセージが自通信制御装置宛のメッセージであるときには、当該通信制御装置１２が有する共通データベース部３３又は個別データベース部３５の一方に含まれる実データの登録及び変更を行った上で（ステップ４１０）、変更後の実データに基づいてその通信制御部に於いて当該装置の実働処理を行い（ステップ４１１）、その結果得られた処理結果を、全ての通信制御装置に通信メッセージが順次に送出された後に、受信判定処理部３２より、当該通信制御装置１２の応答メッセージとしてネットワーク１４を介して第１通信制御装置１１へ送出する（ステップ４１２）。
【００４８】
第１通信制御装置１１はその他の全ての通信制御装置１２の内で対応する通信制御装置から送出された応答メッセージを受信した上で当該応答メッセージを保守コンソール１３に転送する（ステップ４１３）。
【００４９】
保守コンソール１３は、個々に受信した各応答メッセージが与える処理結果を、その画面表示部２４に於いて、当該応答メッセージを送出した各通信制御装置の局番号データと共に表示する。従って、最終的には、全局の処理結果が画面表示部２４に表示されることとなる。
【００５０】
本実施の形態に係るシステムは、１台の通信制御装置の共通データが変更された場合には、その共通データの変更内容を、保守コンソール１３で集中的に制御しながら、その他の通信制御装置の共通データベース部３３にもコピー可能とする機能を有する。以下、この機能について記載する。
【００５１】
応答メッセージを送出した一台の通信制御装置の共通データベース部３３に含まれる共通データが変更された場合には、保守コンソール１３は、そのユーザー操作部２２から入力される、当該応答メッセージを送出した通信制御装置を除くその他の通信制御装置の内の何れか一つの通信制御装置の局番号データ、当該局番号の通信制御装置が有する共通データベース部３３に含まれる実データの登録／表示／変更コマンド及び実データの変更量を与えるデータを含む通信メッセージを、その通信処理部２３から、コピー要求メッセージとして第１通信制御装置１１に送出する。
【００５２】
第１通信制御装置１１は、その受信判定処理部３２に於いて、受信した上記コピー要求メッセージが自通信制御装置宛のメッセージであるか否かを判定し、（５）受信した上記コピー要求メッセージが自通信制御装置宛のメッセージであるときには、当該メッセージに含まれる実データ変更量に基づき第１通信制御装置１１が有する共通データベース部３３に含まれる実データの登録及び変更を行い、（６）受信した上記コピー要求メッセージが自通信制御装置宛のメッセージでないときには、受信した上記コピー要求メッセージを、ネットワーク１４を介して、その他の全ての通信制御装置１２へ送出する。
【００５３】
その他の全ての通信制御装置１２の各々は、その受信判定処理部３２に於いて、受信した上記コピー要求メッセージが自通信制御装置宛のメッセージであるか否かを判定し、（７）上記コピー要求メッセージが自通信制御装置宛のメッセージでないときには、受信した上記コピー要求メッセージを廃棄し、（８）上記コピー要求メッセージが自通信制御装置宛のメッセージであるときには、当該メッセージに含まれる実データ変更量に基づき当該通信制御装置１２が有する共通データベース部３３に含まれる実データの登録及び変更を行う。そして、当該通信制御装置１２は、変更後の共通データを反映した装置自体の実働処理を行い、得られた処理結果をコピー応答メッセージとして、送信元局である第１通信制御装置１１に送信し、第１通信制御装置１１はそのコピー応答メッセージを保守コンソール１３に転送し、保守コンソール１３は、その画面表示部２４上に、コピー応答メッセージが与える処理結果を、当該通信制御装置１２の局番号データと共に表示する。その表示を見て、保守コンソール１３の操作者は、他の通信制御装置に共通データの変更内容がコピーされたことを知り得る。
【００５４】
＜本実施の形態の利点＞
以上より、本実施の形態によれば、一台の保守コンソール１３からの局データの一斉のダウンロードを可能にする機能や、一台の通信制御装置に於ける共通データの変更内容の他の通信制御装置へのコピー機能の実現により、システム立ち上げ時間の効率化及び費用削減化を図ることが出来る。
【００５５】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【産業上の利用可能性】
【００５６】
本発明は、例えば、ＬＡＮで接続され、分配配置された複数の通信制御装置（例えば交換機）のデータ保守に活用して好適である。
【図面の簡単な説明】
【００５７】
【図１】本発明のシステムの全体構成を概略的に示すブロック図である。
【図２】本発明の保守コンソールの機能ブロック図である。
【図３】本発明の各通信制御装置の機能ブロック図である。
【図４】本発明の実施の形態１に係るシステムの動作を示すフローチャートである。
【図５】本発明の実施の形態２に係るシステムの動作のポイントを模式的に示すブロック図である。
【図６】本発明の実施の形態２に係るシステムの動作を示すフローチャートである。
【図７】本発明の実施の形態２に係るシステムの動作を示すフローチャートである。
【図８】本発明の実施の形態３に係るシステムの動作のポイントを模式的に示すブロック図である。
【図９】本発明の実施の形態３に係るシステムの動作を示すフローチャートである。
【符号の説明】
【００５８】
１１  第１通信制御装置、１２  通信制御装置、１３  保守コンソール、１４  ネットワーク、１５  シリアルインターフェース、１６  ＬＡＮインタフェース、２１  ユーザー操作部、２２  ユーザーＩ／Ｆ処理部、２３  通信処理部、２４  画面表示部、２５  シリアルポート制御部、３１  ＬＡＮ制御部、３２  受信判定処理部、３３  共通データベース部、３４  通信制御部、３５  個別データベース部、３６  シリアルポート制御部。
【図１】
0004800112.tif 000002
【図２】
0004800112.tif 000003
【図３】
0004800112.tif 000004
【図４】
0004800112.tif 000005
【図５】
0004800112.tif 000006
【図６】
0004800112.tif 000007
【図７】
0004800112.tif 000008
【図８】
0004800112.tif 000009
【図９】
0004800112.tif 000010